(57)【特許請求の範囲】
【請求項１】
変電所等に集中して設備される複数の保護継電装置がそれぞれ計測値をサンプリングで得るディジタル形保護継電システムにおいて、
無線測位・航法システムの人工衛星が発信する一定周期のパルスを受信するＧＰＳ受信機と、
前記受信機が受信したパルスをフェーズロックループ回路により逓倍してサンプリング同期パルスを得るサンプリング同期回路と、
前記サンプリング同期回路から得るサンプリング同期パルスを伝送路を介して前記各保護継電装置に絶対時間のサンプリング同期信号として供給する信号出力回路とを備え、
前記ＧＰＳ受信機とサンプリング同期回路及び信号出力回路から成るサンプリング同期パルス発生回路を二重化構成にし、
前記各保護継電装置は、自保護継電装置のサンプリング同期信号に対する同期許容時間を定めておき、前記両サンプリング同期パルス発生回路が発生する両サンプリング同期パルスのうち、該同期許容時間内にある一方のサンプリング同期パルスを自保護継電装置のサンプリング信号として選択又は優先的に選択することを特徴とするディジタル形保護継電システム。
【請求項２】
変電所等に集中して設備される複数の保護継電装置がそれぞれ計測値をサンプリングで得るディジタル形保護継電システムにおいて、
無線測位・航法システムの人工衛星が発信する一定周期のパルスを受信するＧＰＳ受信機と、
前記受信機が受信したパルスをフェーズロックループ回路により逓倍してサンプリング同期パルスを得るサンプリング同期回路と、
前記サンプリング同期回路から得るサンプリング同期パルスを伝送路を介して前記各保護継電装置に絶対時間のサンプリング同期信号として供給する信号出力回路とを備え、
前記ＧＰＳ受信機とサンプリング同期回路及び信号出力回路から成るサンプリング同期パルス発生回路を二重化構成にし、
前記各保護継電装置は、前記両サンプリング同期パルス発生回路が発生する両サンプリング同期パルスの周期を監視し、この周期が最大値と最小値で設定する比較定数内にある一方のサンプリング同期パルスを自保護継電装置のサンプリング信号として選択又は優先的に選択することを特徴とするディジタル形保護継電システム。
【請求項３】
変電所等に集中して設備される複数の保護継電装置がそれぞれ計測値をサンプリングで得るディジタル形保護継電システムにおいて、
無線測位・航法システムの人工衛星が発信する一定周期のパルスを受信するＧＰＳ受信機と、
前記受信機が受信したパルスをフェーズロックループ回路により逓倍してサンプリング同期パルスを得るサンプリング同期回路と、
前記サンプリング同期回路から得るサンプリング同期パルスを伝送路を介して前記各保護継電装置に絶対時間のサンプリング同期信号として供給する信号出力回路とを備え、
前記ＧＰＳ受信機とサンプリング同期回路及び信号出力回路から成るサンプリング同期パルス発生回路を二重化構成にし、
前記各保護継電装置は、前記両サンプリング同期パルス発生回路が発生する両サンプリング同期パルスの状態変化の有無をタイマで監視し、状態変化のない方の信号を自保護継電装置のサンプリング信号として選択するのを抑止することを特徴とするディジタル形保護継電システム。
【発明の詳細な説明】
【０００１】
【発明の属する技術分野】
本発明は、ＧＰＳ（ＧｌｏｂａｌＰｏｓｉｓｉｏｎｉｎｇＳｙｓｔｅｍ）を利用してサンプリング同期をとるディジタル形保護継電システムに係り、特に複数の保護継電装置のサンプリング同期を一括管理し、系統電気情報となるサンプリングデータ（瞬時値）の共通利用を図った保護継電システムに関する。
【０００２】
【従来の技術】
ディジタル形保護継電システムは、装置毎にサンプリング同期を確立している。例えば、距離継電装置、回線選択装置、母線保護継電装置、変圧器保護継電装置などである。これら保護継電装置は、変電所の保護対象設備・機器になる変圧器、送電線、母線など、対象となる設備・機器毎に保護継電装置が配置される。
【０００３】
最近は、システムのトータルコストを考慮して各機能を適切に配置させたり、集中化させたりする。つまり、変電所全体が取り扱う系統電気情報を共通化し、ディジタル形保護継電システムで保護する考え方もあり、その実施例として、総合保護継電システムや、光スターカプラを利用した分散形保護継電システムなどがある。
【０００４】
本発明は、このような変電所全体を保護することを目的としたディジタル形保護継電システムにおいて、各保護継電装置が保護演算に必要とする系統の母線電圧、各フィーダの電流、周波数などの系統情報を共通で活用するためのサンプリング同期回路を提供するものである。
【０００５】
従来、異なる地点間の同期の取り方は、ＰＣＭ電流差動リレー等のディジタル形保護継電装置では、光ファイバー伝送路で情報交換し、同期を取る技術が確立している。
【０００６】
例えば、図１０に示すように、保護継電装置ＡとＢとＣがループ型光ファイバー伝送路で接続される場合、装置Ａから装置Ｂ→装置Ｃ→装置Ｂ→装置Ａのように、装置Ｃで折返したループ伝送路で同期信号を伝送する。そして、図１１に示すように、同期信号の送受信に対し、各装置Ａ〜Ｃは伝送路での伝送遅れ時間の存在から、送信タイミングと受信タイミングの中間時刻をサンプリング同期点とすることで、各装置のサンプリングタイミングを一致させることができる。
【０００７】
このサンプリング同期方式は、電力系統の故障点標定装置や系統観測装置などのように、保護継電装置でない装置は、それぞれの地点間を結ぶ専用の光ファイバー伝送路を敷設するには設備面やコスト面から困難になる。
【０００８】
このような不都合を解消する方式として、無線測位・航法システム（ＧＰＳ）が発生する一定周期のパルスを各サンプリング装置が受信し、このパルスからフェーズロックループ回路等を使って各装置にサンプリング同期信号を得るようにし、さらに同期確認や同期性判定も得られるようにしたものを本願出願人は既に提案している。
【０００９】
この方式は、図１２に示すようになる。異なる地点のサンプリング装置１、２で系統電流等をサンプリングし、これらから故障点標定装置３が系統の故障点を標定するのに、サンプリング装置１、２は無線測位・航法システム（ＧＰＳ）の人工衛星Ａ1〜Ａ3が発信する一定周期のパルスをそれぞれ受信機１１で受信する。サンプリング同期回路１２は、受信機１１が受信したパルスａをフェーズロックループ回路により逓倍してサンプリング同期パルスとして得る。サンプリング装置本体１３は、サンプリング同期パルスｂ，ｃのタイミングで系統の電流等の計測値をサンプリングする。
【００１０】
逓倍パルスｂとｃは、例えば、図１３に示すように、１ＨZの同期パルスａに対して、５０ＨZ／６０ＨZのパルス、又は６００ＨZ／７２０ＨZのパルスとなる。
【００１１】
また、図１４にサンプリング同期回路１２の例を示す。ＧＰＳ受信機１１からの一定周期のパルスａは、位相比較回路１４の位相比較パルスの一方とされる他に、同期制御回路１５の同期制御基準クロック信号にされる。
【００１２】
ディジタル形ＰＬＬ（フェーズロックループ）回路１６は、水晶発振器１７の発振パルスをクロックとし、位相比較回路１４からの比較結果になる位相制御信号に応じて自走周波数が制御される。
【００１３】
分周（カウンタ）回路１８は、ＰＬＬ回路１６からのパルス周波数をカウントし、それを分周したサンプリング同期パルスｂ，ｃを得る。また、分周回路１８は、分周したパルス（パルスａと同等の１秒又は１分周期のパルス）を位相比較回路１４の比較入力ｄとして与える。
【００１４】
同期制御回路１５は、パルスａの周期で分周回路１８をリロード又はリセットする。これにより、パルスａと同一タイミングのパルスｂ，ｃ，ｄを得る。
【００１５】
【発明が解決しようとする課題】
保護継電装置毎にサンプリング同期回路を持つシステムのデメリットは、同期回路が全て装置単位で完結しているので、各装置間のサンプリング同期は非同期となる。
【００１６】
この場合、装置間のサンプリング同期がとれないため、瞬時データを各装置共通に有効活用することができない。変電所全体の保護を行うような集中システムは、ハードウェア規模も大きくなる。価格的にも、設備容量的にも、また、その集中化させたシステムが取り扱うべき情報量の巨大化による仕様上の複雑化など、デメリットとなる場合がある。
【００１７】
装置を集中化させ、系統の電気情報をひとつの装置で処理することとなると、例えば、総合保護継電装置を考えると、サンプリング同期を共通にするとその装置に全ての入力変換部を取り込むこととなって、入力盤の構造、仕様の実現が困難となる。
【００１８】
本発明の目的は、ＧＰＳを利用したサンプリング同期方式において、装置間のサンプリング同期を容易に得ることができるディジタル形保護継電システムを提供することにある。
【００１９】
【課題を解決するための手段】
本発明は、フィーダ毎の距離継電装置や、母線保護継電装置毎に持っていたサンプリング同期回路として、各保護継電装置のサンプリング同期を絶対時間に同期させたサンプリング時間で管理し、分散した保護継電装置のサンプリング信号の性能を損なうことなく各装置で計測データを有効利用できるようにしたものである。
【００２０】
また、本発明は、絶対時間にてサンプリング同期が取られた瞬時値データ、例えば、６００Ｈｚ（＝５０Ｈｚ×１２）、７２０Ｈｚ（＝６０Ｈｚ×１２）、より高速な瞬時値データ、４.８ＫＨｚ（＝５０Ｈｚ×９６）、５.７６ＫＨｚ（＝６０Ｈｚ×９６）のデータを装置や変電所が異なっても、系統事故などによって記録された解析データを、別の用途（シミュレーションなど）で使用可能とするものである。
【００２１】
本発明の構成は、以下のようになる。
【００２２】
（第１の発明）
変電所等に集中して設備される複数の保護継電装置がそれぞれ計測値をサンプリングで得るディジタル形保護継電システムにおいて、
無線測位・航法システムの人工衛星が発信する一定周期のパルスを受信するＧＰＳ受信機と、
前記受信機が受信したパルスをフェーズロックループ回路により逓倍してサンプリング同期パルスを得るサンプリング同期回路と、
前記サンプリング同期回路から得るサンプリング同期パルスを伝送路を介して前記各保護継電装置に絶対時間のサンプリング同期信号として供給する信号出力回路とを備え、
前記ＧＰＳ受信機とサンプリング同期回路及び信号出力回路から成るサンプリング同期パルス発生回路を二重化構成にし、
前記各保護継電装置は、自保護継電装置のサンプリング同期信号に対する同期許容時間を定めておき、前記両サンプリング同期パルス発生回路が発生する両サンプリング同期パルスのうち、該同期許容時間内にある一方のサンプリング同期パルスを自保護継電装置のサンプリング信号として選択又は優先的に選択することを特徴とする。
【００２５】
（第２の発明）
変電所等に集中して設備される複数の保護継電装置がそれぞれ計測値をサンプリングで得るディジタル形保護継電システムにおいて、
無線測位・航法システムの人工衛星が発信する一定周期のパルスを受信するＧＰＳ受信機と、
前記受信機が受信したパルスをフェーズロックループ回路により逓倍してサンプリング同期パルスを得るサンプリング同期回路と、
前記サンプリング同期回路から得るサンプリング同期パルスを伝送路を介して前記各保護継電装置に絶対時間のサンプリング同期信号として供給する信号出力回路とを備え、
前記ＧＰＳ受信機とサンプリング同期回路及び信号出力回路から成るサンプリング同期パルス発生回路を二重化構成にし、
前記各保護継電装置は、前記両サンプリング同期パルス発生回路が発生する両サンプリング同期パルスの周期を監視し、この周期が最大値と最小値で設定する比較定数内にある一方のサンプリング同期パルスを自保護継電装置のサンプリング信号として選択又は優先的に選択することを特徴とする。
【００２６】
（第３の発明）
変電所等に集中して設備される複数の保護継電装置がそれぞれ計測値をサンプリングで得るディジタル形保護継電システムにおいて、
無線測位・航法システムの人工衛星が発信する一定周期のパルスを受信するＧＰＳ受信機と、
前記受信機が受信したパルスをフェーズロックループ回路により逓倍してサンプリング同期パルスを得るサンプリング同期回路と、
前記サンプリング同期回路から得るサンプリング同期パルスを伝送路を介して前記各保護継電装置に絶対時間のサンプリング同期信号として供給する信号出力回路とを備え、
前記ＧＰＳ受信機とサンプリング同期回路及び信号出力回路から成るサンプリング同期パルス発生回路を二重化構成にし、
前記各保護継電装置は、前記両サンプリング同期パルス発生回路が発生する両サンプリング同期パルスの状態変化の有無をタイマで監視し、状態変化のない方の信号を自保護継電装置のサンプリング信号として選択するのを抑止することを特徴とする。
【００２８】
【発明の実施の形態】
（第１の実施形態）ＧＰＳ同期の集中管理化
図１は、本発明の実施形態を示すサンプリング同期回路である。本実施形態は、ＧＰＳシステムを利用したサンプリング同期方式において、変電所等の設備される保護継電システム全てのサンプリング同期を確保し、集中管理し、分散した保護継電装置のサンプリング信号の性能を損なうことなく変電所全体のデータを有効利用できるようにしたものである。
【００２９】
サンプリング同期パルス発生回路１０は、ＧＰＳ受信機１１とサンプリング同期回路１２が従来と同様のものにされ、そのサンプリング同期信号ｂ，ｃをドライブして駆動する信号出力回路２１を設ける。この信号出力回路２１からサンプリング信号用伝送路２３を通して各保護対象のリレー部２２1〜２２nにサンプリング信号を供給する。
【００３０】
これにより、各リレー部２２1〜２２nに得るサンプリング信号のタイミングは、ＧＰＳシステムの絶対時間による同期方式になり、変電所全体で同時サンプリングのデータを取り扱うことが可能となる。
【００３１】
したがって、従来の分散したサンプリングでは、サンプリングデータ同志の位相が異なるためディジタル演算処理ができないのに対して、本実施形態では、サンプリングが同一時刻であることから、それぞれの位相演算が可能となる。例えば、母線保護継電装置のように、全てのフィーダの電流総和などの演算が可能となる。
【００３２】
（第２の実施形態）ＧＰＳ同期の二重化
本実施形態は、第１の実施形態におけるＧＰＳを利用したサンプリング同期信号を二重化した方式である。
【００３３】
第１の実施形態のように、サンプリング同期信号を集中管理すると、各リレー部２２1〜２２nや信号出力回路２１の１つでも障害が発生すると、保護継電装置全体をロックせざえるを得ない。
【００３４】
例えば、サンプリング信号が１系列となる構成、ＧＰＳ受信機１１、ＧＰＳ信号によって動作するサンプリング同期回路１２、サンプリング信号を伝送路に出力する信号出力回路２１、または、各伝達信号ａ，ｂ，ｃや伝送路２３に障害が発生すると、分散化した保護リレー部が全てロックとなってしまい、変電所全体が無保護状態となってしまう。
【００３５】
本実施形態では、図２に示すように、ＧＰＳ同期信号が２系列となるように構成する。ＧＰＳ受信機１１、ＧＰＳ信号によって動作するサンプリング同期回路１２、サンプリング信号を伝送路に出力する信号出力回路２１からなるサンプリング同期パルス発生回路１０1、１０2を設ける。そして、各伝達信号ａ，ｂ，ｃ及び伝送路２３1、２３2等を２系列独立して用意する。リレー部２２1〜２２nでは、２つのサンプリング同期信号を選択使用する。
【００３６】
本実施形態によれば、ＧＰＳのサンプリング同期回路を共通化し、さらに二重化することにより、障害に対するリカバリーが可能となる。
【００３７】
（第３の実施形態）ＧＰＳ同期の二重化信号の監視・選択回路方式
本実施形態は、第２の実施形態のＧＰＳを利用したサンプリング同期信号を二重化した方式における二重化されたサンプリング信号を監視・選択して使用する監視回路と選択方式であり、サンプリング信号の有効性を許容範囲で判定するものである。
【００３８】
第２の実施形態のような二重化したＧＰＳ同期を利用したサンプリング同期方式では、各保護継電装置のリレー部で、２つのサンプリング信号の供給を受けることとなる。保護リレーシステムで必要なサンプリング同期は１つであるので、選択して使用することが必要である。
【００３９】
本実施形態では、図３に示すように、入力した２つのサンプリング同期信号ｆ1，ｆ2をタイミング信号ｇ1，ｇ2なる位相でフリップフロップＦＦ1〜ＦＦ4に取り込み、同期信号ｆ1，ｆ2の有効性を次段のアンド回路Ｇ1，Ｇ2で判定し、その結果によって入力したサンプリング同期信号ｆ1，ｆ2を前段のアンド回路Ｇ3，Ｇ4でロックすることで一方の同期信号を有効なサンプリング信号ｈ3としてオア回路Ｇ5に得るサンプリング信号選択入力回路とする。信号ｈ1，ｈ2は有効性が確定した信号をオア回路Ｇ5で使用するものである。ＩＦ1，ＩＦ2は信号レベル変換回路である。
【００４０】
なお、図３では、オア回路Ｇ5で取り込むが、信号ｈ1を優先的に常時使用し、信号ｈ1が不適切な場合、信号ｈ2を使用する選択回路方式であっても良い。この場合の構成を図４に示す。同図の選択回路は、アンド回路Ｇ1，Ｇ2の出力の立ち下がり検出（微分回路による検出）でフリップフロップＦＦ5をセット・リセットし、このフリップフロップＦＦ5の出力でアンド回路Ｇ1の出力が有効である限り信号ｈ1を選択し続ける構成とする。
【００４１】
また、タイミング信号ｇ1，ｇ2は、監視対象とする信号、例えば、６００Ｈｚまたは、７２０Ｈｚとなるサンプリング信号ｆ1，ｆ2を監視するものとすれば、図５に示すように、このサンプリング信号の矩形波信号の立ち上がり点を管理点とすれば、立ち上がり点の前後（±αμｓ）を許容範囲とすることができる。管理点の例として±２０μｓを有効範囲と定めるとすれば、タイミング信号ｇ1は−２０μｓ，ｇ2は＋２０μｓ点にタイミングを設定しフリップフロップで判定をする。
【００４２】
また、このタイミング信号ｇ1，ｇ2は、図１４に示す分周回路１８からのデコード信号からタイミングｎ1，ｎ2のように容易に作成可能である。
【００４３】
また、ｆ1，ｆ2の信号は、ＧＰＳ同期がとれていれば判定可能な立ち上がり状変信号が存在し、ＧＰＳ同期がとれない場合、信号を止めてしまって、判定領域で立ち上がり状変を検出できないような信号とするのが好ましい。
【００４４】
本実施形態によれば、ＧＰＳのサンプリング同期回路を共通化したことに対して第２の実施形態のように二重化することにより、障害に対するリカバリーが可能となるのに加えて、二重化信号をそれぞれ、同期許容判定タイミングｇ1，ｇ2により監視することによって、精度保証もされる。また、ＤＰＬＬとの併用により、安定してサンプリング信号ｈ3を得ることができる。
【００４５】
（第４の実施形態）ＧＰＳ同期の二重化信号の監視・選択回路方式
本実施形態は、第２の実施形態のＧＰＳを利用したサンプリング同期信号を二重化した方式における二重化されたサンプリング信号を監視・選択して使用する監視回路と選択方式であり、サンプリング信号の有効性をその周期を計測して判定するものである。
【００４６】
第２の実施形態のような二重化したＧＰＳ同期を利用したサンプリング同期方式では、各保護継電装置のリレー部で、２つのサンプリング信号の供給を受けることとなる。保護リレーシステムで必要なサンプリング同期は１つであるので、選択して使用することが必要である。
【００４７】
本実施形態では、入力したサンプリング同期信号の周期をそれぞれ監視することによってサンプリング信号の妥当性を評価し、有効な信号のみを選択して使用する。
【００４８】
図６に示すように、監視対象とするサンプリング同期信号ｆ1，ｆ2の周期を周期カウンタＣＮＴ1，ＣＮＴ2でそれぞれカウントし、このカウンタ値をラッチ・比較回路ＣＯＭ1〜ＣＯＭ4にラッチし、各カウンタ値を比較定数ＭＡＸ回路ＭＡＸ1，ＭＡＸ2及び比較定数ＭＩＮ回路ＭＩＮ1，ＭＩＮ2で設定する最大値ＭＡＸと最小値ＭＩＮとそれぞれ大小を比較し、ＭＡＸとＭＩＮの範囲内になる信号をアンド回路Ｇ6，Ｇ7で検出することで信号ｆ1，ｆ2を監視及び選択する。この監視方式は、図７に示すタイミングになる。
【００４９】
なお、信号ｆ1，ｆ2の１周期を監視する場合を示すが、デューティ比５０％となる信号とすれば、信号論理Ｈ、信号論理Ｌ、それぞれの信号の周期を監視することもできる。また、信号ｆ1，ｆ2の信号にＧＰＳ同期がとれていれば前述の規定の信号性質を保持し、ＧＰＳ同期がとれない場合には信号を止めてしまって前述の監視方式で検出できるものとすることができる。
【００５０】
本実施形態によれば、ＧＰＳのサンプリング同期回路を共通化したことに対して第２の実施形態のように二重化することにより、障害に対するリカバリーが可能となるのに加えて、二重化信号をそれぞれの信号性質である周期をカウンタ方式で監視することによって、周期は連続的に変化するものであるので、結果的に精度保証もされる。
【００５１】
（第５の実施形態）ＧＰＳ同期の二重化信号の監視・選択回路方式
本実施形態は、第２の実施形態のＧＰＳを利用したサンプリング同期信号を二重化した方式における二重化されたサンプリング信号を監視・選択して使用する監視回路と選択方式であり、信号の状変をタイマで監視し、二重化したサンプリング信号の状変のないものをロックするものである。
【００５２】
第２の実施形態のような二重化したＧＰＳ同期を利用したサンプリング同期方式では、各保護継電装置のリレー部で、２つのサンプリング信号の供給を受けることとなる。保護リレーシステムで必要なサンプリング同期は１つであるので、選択して使用することが必要である。
【００５３】
本実施形態では、図８に示すように、入力したサンプリング同期信号ｆ1，ｆ2をそれぞれモノステーブルマルチバイブレータＭＭ1，ＭＭ2（タイマＩＣ）が一定時間内にリトリガされなかったことをフリップフロップＦＦ6，ＦＦ7のラッチ出力として得、このラッチ出力でアンド回路Ｇ8，Ｇ9の入力を抑止し、信号ｆ1，ｆ2を信号ｈ1，ｈ2として取り込むか否かを選択するようにしたものである。信号ｍ1，ｍ2は、フリップフロップＦＦ6，ＦＦ7のロック解除信号である。
【００５４】
この構成により、信号ｆ1，ｆ2を時間監視することによってサンプリング信号の妥当性を評価し、状態変化のないものをロックする。
【００５５】
本実施形態では、ロック解除信号を用意し、常時１つの系のサンプリング信号のみを使用しておき、サンプリング信号の状変を常時監視しておき、状変が無くなった場合、正常な系に切り替える方式とする。ロックの解除については、ＣＰＵ等によって制御されるものとする。
【００５６】
なお、信号ｆ1，ｆ2は、ＧＰＳ同期がとれていればリトリガ可能な状態変化が存在し、ＧＰＳ同期がとれない場合、信号を止めてしまって、リトリガできなくなるような信号とする。
【００５７】
本実施形態によれば、ＧＰＳのサンプリング同期回路を共通化したことに対して第２の実施形態のように二重化することにより、障害に対するリカバリーが可能となるのに加えて、二重化信号をそれぞれのモノステーブルマルチバイブレータのような単純なタイマ機能のＩＣだけで、サンプリング信号の状変を監視することによって、簡単な回路でサンプリング同期が得られる。
【００５８】
（第６の実施形態）ＧＰＳ同期システムを利用した情報交換方式
本実施形態は、ＧＰＳシステムを、変電所に配置される保護継電装置のサンプリング同期方式として使用することによって系統事故時に記録するデータセーブ（瞬時値）の記録データを別装置のデータと比較検討が行えるようにする情報交換方式とするものである。
【００５９】
本実施形態では、図９に示すように、保護継電装置２５1、２５2がＧＰＳを利用したサンプリング同期方式で得たサンプリングデータを情報交換媒体ＦＤ1，ＦＤ2として記録出力可能にする。ＳＩ1，ＳＩ2は、サンプリング同期入力部である。
【００６０】
これにより、変電所に配置される保護継電装置が系統事故時に記録するデータセーブ（瞬時値）の記録データを別装置のデータと比較検討が行えるようになる。つまり、サンプリング同期をＧＰＳを利用して行うことによって、どの保護継電装置で記録された系統事故時のデータセーブデータを系統全休のシミュレーションなどに利用可能となる。
【００６１】
【発明の効果】
以上のとおり、本発明によれば、各保護継電装置毎に持っていたサンプリング同期回路として、各保護継電装置のサンプリング同期を絶対時間に同期させたサンプリング時間で管理するようにしたため、分散した保護継電装置のサンプリング同期を容易に得ることができるし、各装置で計測データを有効利用できるようになる。
【００６２】
また、系統事故時に記録するデータセーブ（瞬時値）の記録データを別装置のデータと比較検討を行うための情報交換媒体に出力する構成にしたため、装置や変電所が異なっても、系統事故などによって記録された解析データをシミュレーションなどで使用可能となる。
【図面の簡単な説明】
【図１】本発明の第１の実施形態を示すサンプリング同期回路。
【図２】本発明の第２の実施形態を示す二重化サンプリング同期回路。
【図３】第３の実施形態における二重化信号の監視・選択回路（その１）。
【図４】実施形態における二重化信号の選択回路の変形例。
【図５】図３における監視・選択タイミング。
【図６】第４の実施形態における二重化信号の監視・選択回路（その２）。
【図７】図６における監視・選択タイミング。
【図８】第５の実施形態における二重化信号の監視・選択回路（その３）。
【図９】本発明の第６の実施形態を示す情報交換方式。
【図１０】従来のＰＣＭリレーと伝送路接続。
【図１１】図１０における同期タイミング。
【図１２】ＧＰＳによるサンプリング同期方式。
【図１３】図１２における同期パルス波形。
【図１４】従来のＧＰＳによるサンプリング同期回路。
【符号の説明】
１０…サンプリング同期パルス発生回路
１１…ＧＰＳ受信機
１２…サンプリング同期回路
２１…信号出力回路
２２1〜２２n…リレー部
２３、２３1、２３2…サンプリング信号伝送路
ＩＦ1，ＩＦ2…信号レベル変換回路
ＣＮＴ1，ＣＮＴ2…周期カウンタ回路
ＣＯＭ1〜ＣＯＭ4…ラッチ・比較回路
ＭＩＮ…比較定数ＭＩＮ回路
ＭＡＸ…比較定数ＭＡＸ回路
ＳＩ1，ＳＩ2…保護継電装置のサンプリング同期入力部
ＦＤ1，ＦＤ2…情報交換媒体
ＭＭ1，ＭＭ2…モノステーブルマルチバイブレータ
【図１】
0003829490.tif 000002
【図２】
0003829490.tif 000003
【図３】
0003829490.tif 000004
【図４】
0003829490.tif 000005
【図５】
0003829490.tif 000006
【図６】
0003829490.tif 000007
【図７】
0003829490.tif 000008
【図８】
0003829490.tif 000009
【図９】
0003829490.tif 000010
【図１０】
0003829490.tif 000011
【図１１】
0003829490.tif 000012
【図１２】
0003829490.tif 000013
【図１３】
0003829490.tif 000014
【図１４】
0003829490.tif 000015